(57)【要約】【課題】戸を開口部を越え建物壁体側の開き位置までガイドする上レールを、建物壁体に穴を加工せずに取り付けできる引戸とする。【解決手段】建物壁体１の開口部を開閉する戸は、上レール３５に沿って開口部を越え建物壁体１側の開き位置まで移動する引戸である。開口部に取り付けた引戸枠の上部に、ブラケット７の長さ方向一端部を、ブラケット７の長さ方向他端部が引戸枠よりも戸の開き位置側に延出して取り付ける。上レール３５は、引戸枠の上部とブラケット７に渡って取り付けられる。戸は、上レール３５に沿って開き位置と、開口部を閉鎖する閉じ位置とに渡って移動する。【選択図】図８
2018159269.tif 000002
【特許請求の範囲】
【請求項１】
建物壁体の開口部を開閉する戸は、上レールに沿って前記開口部を越え建物壁体側の開き位置まで移動する引戸であって、
前記開口部に取り付けた引戸枠の上部に、ブラケットの長さ方向一端部を、当該ブラケットの長さ方向他端部が前記引戸枠よりも戸の開き位置側に延出して取り付けられ、
前記上レールは、前記引戸枠の上部と前記ブラケットに渡って取り付けられ、
前記戸は、前記上レールに沿って前記開き位置と、開口部を閉鎖する閉じ位置とに渡って移動することを特徴とする引戸。
【請求項２】
前記引戸枠は、戸先側の引戸縦枠と戸尻側の引戸縦枠と引戸上枠を備え、
前記ブラケットの長さ方向一端部は、前記戸尻側の引戸縦枠の上部、または前記引戸上枠、または前記戸尻側の引戸縦枠の上部と前記引戸上枠に、当該ブラケットの長さ方向他端部が前記戸尻側の引戸縦枠よりも戸の開き位置側に突出して取り付けられ、
前記上レールは、前記ブラケットと前記引戸上枠とに渡って取り付けられている請求項１記載の引戸。
【請求項３】
前記引戸上枠と前記ブラケットは、上レールの上被支持部を支持する上支持部と、上レールの下被支持部を支持する下支持部をそれぞれ有している請求項２記載の引戸。
【請求項４】
前記上レールはねじ固定部を有し、
前記引戸上枠と前記ブラケットは、前記上レールの下被支持部を支持する下支持部及び前記上レールのねじ固定部の被支持面が接する上レール支持部をそれぞれ有し、
前記上レールのねじ固定部と前記各上レール支持部はねじで固定されている請求項２記載の引戸。
【請求項５】
前記引戸上枠の下支持部と前記上レールの下被支持部及び前記ブラケットの下支持部と前記上レールの下被支持部は、それぞれねじで固定されている請求項３又は４記載の引戸。
【請求項６】
前記戸尻側の引戸縦枠の上部は、前記ブラケットの長さ方向一端部を取り付けるブラケット取付部と、前記上レールの下被支持部を支持する支持部を有している請求項３ないし５のいずれか１項に記載の引戸。
【請求項７】
前記引戸の引戸枠は、前記建物壁体の開口部に取り付けてある既設サッシ枠よりも室外側に突出して前記建物壁体の開口部に取り付けられ、
前記既設サッシ枠と前記引戸枠の間はシールされ、
前記引戸枠の戸先側の引戸縦枠と前記建物壁体とに渡って戸先側カバー体が、前記既設サッシ枠の一方の既設縦枠を覆うように取り付けられ、
前記引戸枠の戸尻側の引戸縦枠と前記建物壁体とに渡って戸尻側カバー体が、前記既設サッシ枠の他方の既設縦枠を覆うように取り付けられ、
前記上レールに上カバー体が、前記既設サッシ枠の既設上枠を覆うように取り付けられている請求項１ないし６のいずれか１項に記載の引戸。
【請求項８】
前記建物壁体の開口部と前記引戸枠の間は止水されている請求項１ないし６のいずれか１項に記載の引戸。
【請求項９】
請求項７の引戸を建物壁体に取り付ける際に、既設サッシ枠と引戸枠との間をシールした後に、ブラケット、上レール、戸先側カバー体、戸尻側カバー体、上カバー体を取り付けるようにしたことを特徴とする引戸の取付方法。
【請求項１０】
請求項８の引戸を建物壁体に取り付ける際に、前記建物壁体の建物躯体に引戸枠を取り付けて止水した後に建物躯体に外壁を取り付け、その後にブラケット、上レールを取り付けるようにしたことを特徴とする引戸の取付方法。
【請求項１１】
建物壁体の開口部を開閉する戸は、上レールに沿って前記開口部を越え建物壁体側の開き位置まで移動する引戸であって、
前記上レールにブラケットを取り付け、
前記開口部に取り付けた引戸枠の上部に、前記上レールと前記ブラケットの長さ方向一端部を、当該上レールとブラケットの長さ方向他端部が前記引戸枠よりも戸の開き位置側に延出して取り付けられ、
前記戸は、前記上レールに沿って前記開き位置と、開口部を閉鎖する閉じ位置とに渡って移動することを特徴とする引戸。
【発明の詳細な説明】
【技術分野】
【０００１】
本発明は、建物壁体の開口部を開閉する引戸、及び、引戸の取付方法に関する。
【背景技術】
【０００２】
建物壁体の開口部を開閉する引戸が特許文献１に開示されている。
この引戸は、建物壁体に、開口部を越えて取り付けた上レールと、上レールに沿って開閉移動する戸を備えている。戸は建物壁体の開口部を閉鎖する閉じ位置と、開口部を越え建物壁体側の開き位置とに渡って上レールに沿って移動する。つまり、戸が開口部を越え建物壁体側の開き位置まで移動するアウトセット引戸である。
【先行技術文献】
【特許文献】
【０００３】
【特許文献１】特開２００２−２２７５０３号公報
【発明の概要】
【発明が解決しようとする課題】
【０００４】
戸が開口部を越え建物壁体側まで移動するので、上レールは建物壁体に、開口部を越えて取り付けるので、建物壁体に上レールを取り付けるための穴を加工する必要がある。このために、穴加工作業が面倒で手間がかかると共に、穴を通して建物壁体の内部に水が浸入することがある。
【０００５】
本発明の目的は、引戸の戸を、開口部を越え建物壁体側の開き位置までガイドする上レールを、建物壁体に穴を加工せずに取り付けできるようにした引戸とすることである。
【課題を解決するための手段】
【０００６】
本発明は、建物壁体の開口部を開閉する戸は、上レールに沿って前記開口部を越え建物壁体側の開き位置まで移動する引戸であって、
前記開口部に取り付けた引戸枠の上部に、ブラケットの長さ方向一端部を、当該ブラケットの長さ方向他端部が前記引戸枠よりも戸の開き位置側に延出して取り付けられ、
前記上レールは、前記引戸枠の上部と前記ブラケットに渡って取り付けられ、
前記戸は、前記上レールに沿って前記開き位置と、開口部を閉鎖する閉じ位置とに渡って移動することを特徴とする引戸である。
【発明の効果】
【０００７】
本発明によれば、戸を、開口部を越え建物壁体側の開き位置まで上レールに沿って移動することができる。また、建物壁体に穴を加工せずに上レールを開口部を越え建物壁体側に突出して取り付けでき、上レールの延出部の変形をブラケットで抑制できる。
【図面の簡単な説明】
【０００８】
【図１】本発明の第１の実施形態を示す横断面図である。
【図２】図１のＡ−Ａ断面図である。
【図３】図１のＢ−Ｂ断面図である。
【図４】引戸枠を開口部から取り外した状態の斜視図である。
【図５】引戸枠を開口部に取り付けた状態の斜視図である。
【図６】引戸枠にブラケットを取り付けた状態の斜視図である。
【図７】戸先側の引戸縦枠と上レールの端部の斜視図である。
【図８】図２の上部拡大図である。
【図９】図３の上部拡大図である。
【図１０】図８のＣ−Ｃ断面図である。
【図１１】引戸枠上部とブラケットと上レールを取り外した状態の斜視図である。
【図１２】引戸の外観斜視図である。
【図１３】本発明の第２の実施形態を示す横断面図である。
【図１４】図１３のＤ−Ｄ断面図である。
【図１５】図１３のＥ−Ｅ断面図である。
【図１６】上レールを取り外した状態の斜視図である。
【図１７】引戸の外観斜視図である。
【図１８】本発明の第３の実施形態を示すブラケット、上レールを外した状態の斜視である。
【図１９】ブラケットを取り付けた上レールを下から見た斜視図である。
【図２０】ブラケットを取り付けた上レールを上から見た斜視図である。
【図２１】ブラケットと上レールを取り付けた状態の縦断面図である。
【図２２】本発明の第４の実施形態を示す引戸上枠、上レール、ブラケットの連結部の縦断面図である。
【図２３】引戸上枠、上レールの延出部分の縦断面図である。
【図２４】図２２の上レールと引戸上枠の固定部分の拡大図である。
【図２５】図２３の上レールとブラケットの固定部分の拡大図である。
【図２６】本発明の第５の実施形態を示す引戸上枠、上レール、ブラケットの連結部の縦断面図である。
【図２７】引戸上枠、上レールの延出部分の縦断面図である。
【発明を実施するための形態】
【０００９】
図１〜図３に示すように、建物壁体１は開口部１ａを有している。開口部１ａは建物壁体１の室外側面と室内側面とに開口し、建物の内部と建物の外部を連通している。実施形態では開口部１ａは人が出入りする出入口である。
開口部１ａは出入口に限ることはない。例えば、テラス窓タイプ、窓タイプの開口部とすることが可能である。この場合には後述する下レール３４を上レール３５と同様にして取り付けることが可能である。
建物壁体１は、開口部１ａを有した建物躯体１０と、建物躯体１０の開口部１ａ以外の室内側面に設けた内壁１１と、建物躯体１０の開口部１ａ以外の室外側面に設けた外壁１２を備えている。
内壁１１が建物壁体１の室内側面で、外壁１２が建物壁体１の室外側面である。
【００１０】
建物壁体１の開口部１ａに既設サッシの既設サッシ枠２が取り付けてある。
既設サッシ枠２は、左右一方の既設縦枠２０と左右他方の既設縦枠２１と既設上枠２２と既設下枠２３とで方形状である。
実施形態では、既設サッシ枠２は建物壁体１の開口部１ａの室外側寄りに取り付けてある。そして既設サッシ枠２の室外側部は図４に示すように、外壁１２よりも室外側に突出している。
【００１１】
引戸枠３が、既設サッシ枠２を覆うように建物壁体１の開口部１ａに取り付けてある。引戸枠３は、戸先側の引戸縦枠３０と戸尻側の引戸縦枠３１と引戸上枠３２と引戸下枠３３を方形状に連結したものである。引戸枠３の各枠を建物壁体１の開口部１ａに固定して既設サッシ枠２を覆うように取り付けてある。
【００１２】
図４に示すように、戸先側の引戸縦枠３０の室内外側方向の寸法（面外方向寸法）は、戸尻側の引戸縦枠３１、引戸上枠３２、引戸下枠３３の室内外方向の寸法（面外方向寸法）よりも大きく、戸尻側の引戸縦枠３１、引戸上枠３２、引戸下枠３３の面外方向寸法は、ほぼ同一である。
引戸枠３は、戸尻側の引戸縦枠３１の室外側部３１ａと引戸上枠３２の室外側部３２ａと引戸下枠３３の室外側部３３ａとが室内外側方向にほぼ同一位置で、戸先側の引戸縦枠３０の室外側部３０ａが各室外側部３１ａ，３２ａ，３３ａよりも室外側に突出するように枠組みされている。
【００１３】
下レール３４が引戸下枠３３の室外側部３３ａに取り付けてある。
下レール３４の長さ方向一端は戸先側の引戸縦枠３０の下部と接している。下レール３４の長さ方向他端部３４ａは戸尻側の引戸縦枠３１を越え建物壁体１側の戸先側の引戸縦枠３０と反対側である戸の開き位置側に延出している。
【００１４】
引戸枠３は、図４に示すように引戸下枠３３の室外側部３３ａに下レール３４を取り付けた状態で、引戸枠３を、建物壁体１の室外側から既設サッシ枠２に向けて移動することにより、引戸枠３は図１、図２に示すように建物壁体１の開口部１ａに取り付けられる。
実施形態では、引戸枠３内を人が出入りする。
【００１５】
つまり、図１に示すように、戸先側の引戸縦枠３０の室内側部３０ｂ及び戸尻側の引戸縦枠３１の室内側部３１ｂが一方の既設縦枠２０及び他方の既設縦枠２１よりも室内側に位置し、各室内側部３０ｂ，３１ｂを建物躯体１０にねじで固定することで開口部１ａに取り付けられる。
各引戸縦枠３０，３１の室内側部３０ｂ，３１ｂは、各既設縦枠２０，２１の室内側部と同一位置でも良い。その場合には、既設縦枠２０，２１を貫通させて建物躯体１０へねじ固定する。
戸先側の引戸縦枠３０の室外側部３０ａは一方の既設縦枠２０よりも室外側に突出している。戸尻側の引戸縦枠３１の室外側部３１ａは他方の既設縦枠２１よりも室外側に突出している。
【００１６】
図２に示すように、引戸上枠３２の室内側部３２ｂが既設上枠２２よりも室内側に位置し、その室内側部３２ｂを建物躯体１０にねじで固定することで、引戸上枠３２を開口部１ａに取り付けられる。
引戸上枠３２の室内側部３２ｂは既設上枠２２の室内側部と同じ位置でも良い。その場合には、既設上枠２２を貫通させて建物躯体１０へねじ固定する。
引戸上枠３２の室外側部３２ａは既設上枠２２よりも室外側に突出している。
引戸下枠３３は、室内側部３３ｂを既設下枠２３の室外側部２３ａに載置するようにして取り付けられる。つまり、実施形態の開口部１ａは出入口で、開口部１ａの下方部分は土間（コンクリート）である。既設下枠２３は土間に埋設して取り付けられているので、引戸下枠３３は、既設下枠２３の室外側部２３ａに載置するように取り付けられる。
【００１７】
下レール３４は図２に示すように、土間にねじで固定される。
下レール３４の引戸枠３を越え建物壁体１側の戸の開き位置側に延出した長さ方向他端部３４ａは、図３に示すように外壁１２と離隔し、外壁１２よりも室外側に位置し、外壁１２と平行である。
【００１８】
図１と図５に示すように、戸先側の引戸縦枠３０の室外側部３０ａと外壁１２とに渡って戸先側カバー体５が取り付けてある。
戸先側カバー体５は、室内外側方向に向かう側面板５０と、側面板５０の室外側端に戸開閉方向、つまり面内方向に向けて設けた前面板５１とで断面Ｌ字形状である。
前面板５１の面内方向一端部寄りに、室内側に向かう第１取付片５２と第２取付片５３を面内方向に間隔を置いて有し、第１取付片５２と第２取付片５３との間に取付用凹部５４を有している。取付用凹部５４は室内側に向けて開口している。
【００１９】
戸先側カバー体５は、前面板５１の取付用凹部５４を戸先側の引戸縦枠３０の室外側部３０ａに嵌合し、前面板５１をねじで戸先側の引戸縦枠３０の室外側部３０ａに固定すると共に、側面板５０の室内側端に装着したシール材５５を外壁１２に接して取り付けられる。
これにより、一方の既設縦枠２０及び戸先側の引戸縦枠３０の室外側部分を戸先側カバー体５で覆うので、戸先側部分の外観の見栄えが良い。
【００２０】
図１と図５に示すように、戸尻側の引戸縦枠３１の室外側部３１ａと外壁１２とに渡って戸尻側カバー体６が取り付けある。
戸尻側カバー体６は、面内方向に向かう前面板６０と、前面板６０の面内方向一端部に室内側に向けて設けた側面板６１で鉤形状である。
前面板６０は、その面内方向他端部に設けた係止部、例えば室内側に向かう係止片６２を戸尻側の引戸縦枠３１の室外側部３１ａに係止して連結し、側面板６１の室内側端に設けたシール材６３を外壁１２に接して取り付けられる。
これにより、他方の既設縦枠２１を戸尻側カバー体６で覆うので、戸尻側部分の外観の見栄えが良い。
【００２１】
図２に示すように、上レール３５の長さ方向一端部３５ａが引戸枠３の上部、例えば引戸上枠３２の室外側部３２ａに取り付けてある。
上レール３５の長さ方向他端部３５ｂは戸尻側の引戸縦枠３１を越え建物壁体１の戸先側の引戸縦枠３０と反対側である戸の開き位置側に延出している。
上レール３５の延出した長さ方向他端部３５ｂは、図３に示すように外壁１２と隙間を有して離隔し、外壁１２よりも室外側に位置して外壁１２と平行である。
【００２２】
上レール３５の長さ方向一端は戸先側の引戸縦枠３０の上部と固定してある。
実施形態では、図７に示すように上レール３５の長さ方向一端に端部部品８を固定し、戸先側の引戸縦枠３０の戸当り凹部３０ｃの上部に切欠部３０ｄを形成する。
端部部品８を戸当り凹部３０ｃに嵌合し、端部部品８の取付片８ａを切欠部３０ｄから戸先側の引戸縦枠３０の面内方向外側面に接して固定する。なお、ねじで固定しても良い。
【００２３】
図１に示すように、戸先側の引戸縦枠３０は外壁１２よりも室外側に大きく張り出し、室外側部３０ａは、下レール３４、上レール３５に沿って開閉移動する戸４よりも室外側に位置する。これにより、戸４が閉じ位置のときに戸先側の引戸縦枠３０に戸４が当接する。つまり、戸先側の引戸縦枠３０は戸当りである。
戸尻側の引戸縦枠３１の外壁１２から室外側への張り出し寸法は戸先側の引戸縦枠３０の張り出し寸法よりも小さく、室外側部３１ａは戸４よりも室内側に位置する。これにより、戸４は戸尻側の引戸縦枠３１を越え戸先側の引戸縦枠３０と反対側の建物壁体１側まで移動する。戸４の開き位置は開口部１ａを越え建物壁体１側である。
実施形態では、室内側戸４ａと室外側戸４ｂを有している。開口部１ａを閉鎖する閉じ位置のときは、室外側戸４ｂが戸先側の引戸縦枠３０に接し、室内側戸４ａが戸尻側の引戸縦枠３１の室外側部３１ａに設けたシール材に接することで、室内側戸４ａと室外側戸４ｂとで開口部１ａ、つまり引戸枠３の開口部を閉塞する。
開口部１ａを開放する開き位置のときは、室内側戸４ａと室外側戸４ｂは重なり合って戸尻側の引戸縦枠３１よりも戸先側の引戸縦枠３０と反対側の戸の開き位置側に位置し、引戸枠３を開放する。
なお、戸は全開時にハンドル４ｃの部分だけの引き残しを有し、戸尻側の引戸縦枠３１よりも戸先側の引戸縦枠３０側へ戸の一部分が位置することがある。
【００２４】
このようであるから、建物壁体１に形成した開口部１ａを開閉する戸４が、建物壁体１の外壁１２に沿って開口部１ａを越え建物壁体１側の開き位置と、開口部１ａを閉鎖する閉じ位置に渡って開閉移動するアウトセット引戸と呼ばれる引戸を建物壁体１の開口部１ａに取り付けできる。
実施形態では、開口部１ａに取り付けてある既設サッシを引戸にリフォーム、つまり改修することができる。
また、上レール３５の引戸枠３を越えて建物壁体１側に延出した長さ方向他端部３５ｂは、建物壁体１の外壁１２から建物躯体１０に螺合していないので、建物壁体１にねじが挿通する穴を加工する必要がなく、上レール３５を短時間に取り付けできる。
しかも、上レール３５の取り付けが建物壁体１の不陸の影響を受けない。
建物躯体１０の納まりや状態に左右されずに上レール３５を取り付けることができると共に、上レール３５の取り付け強度も影響を受けず、引戸枠３のみで上レール３５の取り付けを完結するため安定した上レール３５の取り付け強度を担保できる。
【００２５】
次に上レール３５の取り付けを説明する。
上レール３５の長さ方向一端部３５ａは引戸上枠３２に固定してあるが、長さ方向他端部３５ｂは建物壁体１に固定していないので、上レール３５の長さ方向他端部３５ｂは、自重や戸４から受ける室内外側方向の外力で変形することがある。
図３、図６に示すように、引戸枠３の上部に上レール取付用のブラケット７を取り付ける。ブラケット７の引戸枠３から延出した部分に上レール３５の長さ方向他端部３５ｂを固定することで、上レール３５の長さ方向他端部３５ｂの変形を抑制している。
【００２６】
実施形態では、戸尻側の引戸縦枠３１の上部にブラケット７の長さ方向一端部７ａを、ブラケット７が引戸上枠３２の室外側部３２ａと連続するようにねじで固定してある。これにより、ブラケット７は、その長さ方向他端部７ｂが引戸枠３よりも戸先側の引戸縦枠３０と反対側の建物壁体１側に延出して取り付けてある。つまり、引戸上枠３２の長さ方向端面が各引戸縦枠３０，３１の内側面を接してねじで固定し、戸尻側の引戸縦枠３１の上部にブラケット７の長さ方向一端部７ａを固定してある。
【００２７】
このようにすることで、上レール３５の引戸枠３から建物壁体１側に延出した長さ方向他端部３５ｂの変形をブラケット７で抑制することができる。
【００２８】
次に、上レール３５の取り付けの詳細を図８〜図１１を参照して説明する。
図８に示すように、引戸上枠３２は、室内側方向に向かう上壁４０、下壁４１と、上壁４０と下壁４１を連結する上下方向に向かう室内側縦壁４２、室外側縦壁４３とで矩形中空形状で、室内側縦壁４２に取付壁４４が室内側に向けて設けてある。この取付壁４４が建物躯体１０にねじで固定される室内側部３２ｂである。室外側縦壁４３が室外側部３２ａである。
室外側縦壁４３の上部に、上レール３５の上部を室内外側方及び下方に動かないように支持する上支持部、例えば室外側に向けて斜め上方に向かう上支持片４５が設けてある。
室外側縦壁４３の下部に、上レール３５の下部を下方に動かないように支持する下支持部、例えば室外側に向けて水平に突出した下支持片４６を有する。
下支持片４６の下面には下向き凹部４７を有し、この下向き凹部４７にキャップ４８が弾性的に押し込んで取り付けてある。
引戸上枠３２は、室内側縦壁４２を既設上枠２２のシール材装着部２２ａに当接することで、面外方向に位置決めされる。
【００２９】
図１０に示すように、戸尻側の引戸縦枠３１は、室内外側方向に向かう内側壁８０、外側壁８１と、内側壁８０と外側壁８１を連結する室内側壁８２、中間壁８３、室外側壁８４とで２つの中空部を有した矩形断面中空形状である。
室内側壁８２に取付壁８５が室内側に向けて設けてあり、取付壁８５が室内側部３１ｂである。室外側壁８４が室外側部３１ａである。
戸尻側の引戸縦枠３１は、室内側壁８２を他方の既設縦枠２１のシール材装着部２１ａに当接して面外方向に位置決めされる。
【００３０】
戸尻側の引戸縦枠３１は、内側壁８０、外側壁８１の中間壁８３よりも室外側寄り部分の上部と室外側壁８４の上部を切断等して除去し、その切断した切断端面８６は引戸上枠３２の下支持片４６と同一高さに位置している。これにより、切断端面８６が上レール３５の支持部である。
中間壁８３は引戸上枠３２の室外側壁４３よりも室内側寄りに位置し、中間壁８３の切断端面８６よりも上の部分がブラケット取付部８７である。ブラケット取付部８７である中間壁８３の上の部分に穴８８が形成してある。
【００３１】
図８、図９に示すように、上レール３５は、引戸上枠３２の上支持片４５に室内外側方向及び下方に動かないように支持される上被支持部、例えば、下向きの上被支持片３５ｃを有する。上被支持片３５ｃは上レール３５の室内側上部に設けてある。
上レール３５は、引戸上枠３２の下支持片４６と戸尻側の引戸縦枠３１の切断端面８６に下方に動かないように支持される下被支持部、例えば、室外側に向かう水平な下被支持片３５ｄを有する。下被支持片３５ｄは上レール３５の室内側で、上被支持片３５ｃよりも下方に設けてある。
【００３２】
つまり、上レール３５は、室内外側方向に向かう上壁３５ｅ、下壁３５ｆと、上壁３５ｅと下壁３５ｆを連結する上下方向に向かう室内側縦壁３５ｇ、室外側縦壁３５ｈとでほぼ矩形中空断面形状で、下壁３５ｆは室内側方向の中間部が上向きに凹み、その凹んだ部分に上ガイド３５ｉを有している。上ガイド３５ｉは上被支持片３５ｃ、下被支持片３５ｄよりも室外側に位置し、上ガイド３５ｉは戸４の上部をガイドする。
下壁３５ｆの凹んだ部分よりも室内側部分が水平で、その水平部分が下被支持片３５ｄである。
上壁３５ｅの室内側部に上被支持片３５ｃが下方に向けて設けてある。
【００３３】
ブラケット７は、上下方向に向かう板状の取付部７０と、取付部７０の上端部に設けられ、上レール３５の上部を室内外側方向及び下方に動かないように支持する上支持部、例えば室外側に向けて斜め上方に向かう上支持片７１と、取付部７０の下端部に設けられ、上レール３５の下部を下方に動かないように支持する下支持部、例えば室外側に向けて水平に突出した下支持片７２を備えている。
取付部７０の長さ方向一端部に一端部穴７３、長さ方向中間部に中間部穴７４、長さ方向他端部に他端部穴７５をそれぞれ有している。各穴は取付部７０の表裏面に開口している。
下支持片７２の長さ方向両端部は切断して除去され、取付部７０の長さ方向両端部は下支持片７２の長さ方向両端から長さ方向に突出している。
【００３４】
ブラケット７の取付部７０の長さ方向一端部を戸尻側の引戸縦枠３１のブラケット取付面８７に接した状態で、一端部穴７３、穴８８にねじ７６を挿入し、ねじ７６を裏板８９に螺合してブラケット７の長さ方向一端部７ａを戸尻側の引戸縦枠３１の上部に取り付ける。ブラケット７の下支持片７２と戸尻側の引戸縦枠３１の切断端面８６は同一高さである。
裏板８９は戸尻側の引戸縦枠３１の中間壁８３の裏面に接している。
実施形態では、ブラケット７の取付部７０は、中間部穴７４からねじ７４ａを戸尻側カバー体６に螺合することで戸尻側カバー体６に固定してある。
【００３５】
上レール３５の上被支持片３５ｃを引戸上枠３２の上支持片４５とブラケット７の上支持片７１とに渡って係止することで、上レール３５の上部を支持し、上レール３５の下被支持片３５ｄを引戸上枠３２の下支持片４６と、戸尻側の引戸縦枠３１の切断端面８６と、ブラケット７の下支持片７２とに渡って載置することで、上レール３５の下部を支持して上レール３５を仮取り付けする。
この状態で、図８に示すように、引戸上枠３２の下支持片４６からねじ４９を上レール３５の下被支持片３５ｄに螺合して固定する。図９に示すように、ブラケット７の下支持片７２からねじ７２ａを上レール３５の下被支持片３５ｄに螺合して固定する。
これにより、上レール３５を引戸上枠３２と、戸尻側の引戸縦枠３１と、ブラケット７とに渡って取り付けする。
【００３６】
引戸上枠３２の下支持片４６と上レール３５の下被支持片３５ｄを固定するねじ４９は、キャップ４８で覆われている。
これにより、ねじ４９の頭部が目視されないので見栄えが良い。
【００３７】
ブラケット７の取付部７０の室外側面７０ａと引戸上枠３２の室外側壁４３は室内外側方向及び上下方向に同一位置で、長さ方向に連続する。これにより、上レール３５の室内側縦壁３５ｇをブラケット７と引戸上枠３２とに渡って連続して取り付けできる。
ブラケット７の上支持片７１と引戸上枠３２の上支持片４５は室内外方向及び上下方向に同一位置で、長さ方向に連続する。これにより、上レール３５の上被支持片３５ｃをブラケット７の上支持片７１と引戸上枠３２の上支持片４５とに渡って連続して支持することで、上レール３５を室内外側方向及び下方に動かないように確実に支持できる。
ブラケット７の下支持片７２と引戸上枠３２の下支持片４６は室内外側方向及び上下方向に同一位置で、長さ方向に連続する。これにより、上レール３５の下被支持片３５ｄをブラケット７の下支持片７２と引戸上枠３２の下支持片４６に渡って連続して支持することができる。
【００３８】
このようであるから、引戸上枠３２とブラケット７とに渡って上レール３５を水平に仮取り付けできるから、上レール３５と引戸上枠３２及び上レール３５とブラケット７をねじで固定する作業がやり易い。
【００３９】
ブラケット７は、取付部７０の長さ方向の両端部に一端部穴７３、他端部穴７５を有し、取付部７０の長さ方向両端部は下支持片７２の長さ方向両端からそれぞれ突出している。つまり、ブラケット７は長さ方向中央部を境として長さ方向両端部が対称形状である。
このようであるから、ブラケット７を左右勝手違いに取り付けできるから、戸４の開き位置が開口部１ａの左側（図６参照）である引戸と、戸４の開き位置が開口部１ａの右側（図６と反対側）である引戸とにブラケット７を兼用できる。
【００４０】
上レール３５には上カバー体９が取り付けてある。
上カバー体９は、上面板９０と、上面板９０の室外側端に下向きに設けた室外側縦面板９１と、上面板９０の室内外側方向中間に下向きに設けた中間縦板９２と、室外側縦面板９１と中間縦板９２とに渡って設けた中間横板９３と、室外側縦面板９１の下端部に室内側に向けて設けた鉤形板９４と、長さ方向一端の一端面板９５と、長さ方向他端の他端面板９６とで、室内側及び下方に開口したほぼ箱形状である。
上カバー体９は、一端面板９５と他端面板９６を外した状態で、上カバー体９内に上レール３５をスライドして取り付け、一端面板９５と他端面板９６を取り付けるようにしている。
上カバー体９は、上レール３５を取り付けた後に上レール３５に取り付けるようにしても良い。その場合には鉤形板９４を横板のみとする。上カバー体９の形状は前述のものに限ることはなく、任意の形状とすることができる。
【００４１】
上カバー体９は、中間横板９３が上レール３５の上壁３５ｅの室外側寄りに接し、一端面板９５が上レール３５の長さ方向一端を覆い、他端面板９６が戸先側の引戸縦枠３０の上部を覆うようにして取り付けられる。上面板９０は既設上枠２２よりも上方で外壁１２と接し、上面板９０と外壁１２との間をシール材９７でシールする。
これにより、図１２に示すように既設上枠２２、戸先側の引戸縦枠３０の上部、戸尻側の引戸縦枠３１の上部、戸先側カバー体５の上部、戸尻側カバー体６の上部及び上レール３５が上カバー体９で覆われるので、引戸の外観の見栄えが良い。
【００４２】
次に、既設サッシを引戸にリフォームする作業を説明する。
図４に示すように、既設サッシの既設サッシ枠２を建物壁体１の開口部１ａに残存した状態で、引戸枠３を室外側から既設サッシ枠２内に挿入して取り付ける。
引戸枠３は、戸先側の引戸縦枠３０、戸尻側の引戸縦枠３１、引戸上枠３２、引戸下枠３３を方形状に連結し、引戸下枠３３の室外側部３３ａに下レール３４を取り付けたものである。
【００４３】
既設サッシ枠２と引戸枠３との間を室外側からシールする。
例えば、図１に示すように、一方の既設縦枠２０と戸先側の引戸縦枠３０との間及び他方の既設縦枠２１と戸尻側の引戸縦枠３１との間をシール材２４でシールする。図２に示すように、既設上枠２２と引戸上枠３２との間をシール材２４でシールする。
このとき、既設縦枠２０，２１と引戸縦枠３０，３１との間及び既設上枠２２と引戸上枠３２との間は長さ方向に連続して室外側に開口しているので、シール材２４を室外側から設ける作業がやり易く、シール施工性を向上、シール止水性が担保できる。
【００４４】
図５に示すように、戸先側カバー体５、戸尻側カバー体６を室外側から取り付ける。
このとき、引戸枠３は戸先側カバー体５、戸尻側カバー体６を取り付ける部分に突出していないので、各カバー体５，６を室外側から取り付ける作業がやり易い。
【００４５】
図６に示すように、ブラケット７を戸尻側の引戸縦枠３１の上部に取り付ける。
このとき、戸尻側の引戸縦枠３１の切断端面８６を基準としてブラケットト７を取り付けるので、ブラケット７の取り付け作業がやり易く、ブラケット７を位置決めして取り付けできる。
【００４６】
引戸上枠３２とブラケット７とに渡って、上カバー体９を取り付けた上レール３５を取り付ける。
最後に、下レール３４と上レール３５とに渡って戸４を装着する。
なお、戸４を装着した後に上カバー体９を取り付けることもできる。
【００４７】
次に、本発明の第２の実施形態を説明する。
この実施形態は、図１３〜図１５に示すように、建物壁体１の開口部１ａに引戸枠３を直接的に取り付ける新設の引戸である。この実施形態の建物壁体１、引戸枠３、ブラケット７、下レール３４、上レール３５は第１の実施形態と同様である。戸先側カバー体５、戸尻側カバー体６、上カバー体９は用いない。
つまり、引戸枠３の戸先側の引戸縦枠３０の室内側部３０ｂと室外側寄りの取付片３０ｃ、戸尻側の引戸縦枠３１の室内側部３１ｂと室外側寄りの取付片３１ｃ、引戸上枠３２の室内側部３２ｂと室外側寄りの取付片３２ｄを建物躯体１０にねじで固着して取付する。
このとき、建物躯体１０の室外側面に外壁１２は取り付けしない。
【００４８】
引戸枠３を取り付けた後に、建物躯体１０の室外側に外壁１２を取り付ける。
各引戸縦枠３０，３１と開口部１ａ（外壁１２）との間及び引戸上枠３２と開口部１ａ（外壁１２）との間をシール材２５でシールする。
各取付片３０ｃ，３１ｃ，３２ｄと建物躯体１０との間に防水シートを設ける。これにより、引戸枠３と建物壁体１の開口部１ａとの間を止水する。
引戸枠３を開口部１ａに取り付けた状態で、引戸枠３の上部にブラケット７を取り付ける（図１６参照）。
最後に上レール３５を引戸上枠３２とブラケット７とに渡って取り付ける（図１７参照）。
【００４９】
このように、新設の引戸をリフォームの引戸と同様にして取り付けることができる。
【００５０】
以上の各実施形態は、戸先側の引戸縦枠３０と戸尻側の引戸縦枠３１と引戸上枠３２と引戸下枠３３とで引戸枠３としたが、戸先側の引戸縦枠３０と戸尻側の引戸縦枠３１と引戸上枠３２とで引戸枠３とすることができる。
また、戸４を上レール３５で吊り下げ支持すれば、下レール３４を用いないことも可能である。
【００５１】
以上の各実施形態は、ブラケット７の長さ方向一端部７ａを戸尻側の引戸縦枠３１の上部に取り付けしたが、ブラケット７の長さ方向一端部７ａは、引戸上枠３２に取り付けても良いし、戸尻側の引戸縦枠３１の上部と引戸上枠３２とに取り付けても良い。また、戸先側の引戸縦枠３０の上部にも取り付けるようにしても良い。
例えば、図１１に仮想線で示すように、ブラケット７の取付部７０を上支持片７１よりも長さ方向に突出して引戸上枠取付片７７とする。
引戸上枠取付片７７にねじ孔７８を形成する。
引戸上枠３２の室外側縦壁４３に孔４３ａを形成する。
【００５２】
ブラケット７の引戸上枠取付片７７を、引戸上枠３２の室外側縦壁４３の裏面（室内側面）に接し、孔４３ａからねじ７９をねじ孔７８に螺合することで、引戸上枠取付片７７を引戸上枠３２の室外側縦壁４３に固着する。
これにより、ブラケット７の長さ方向一端部７ａを引戸上枠３２に取り付けできる。
【００５３】
また、ブラケット７の一端部穴７３、穴８８にねじ７６を挿入して裏板８９に螺合することで、ブラケット７の長さ方向一端部７ａを戸尻側の引戸縦枠３１の上部と引戸上枠３２とに取り付けできる。
【００５４】
以上の実施形態では、ブラケット７の長さ方向一端部７ａを引戸枠３の上部に取り付け、ブラケット７と引戸枠３とに上レール３５を取り付けしたが、ブラケット７を上レール３５に取り付け、ブラケット７の長さ方向一端部７ａと上レール３５の長さ方向一端部３５ａを引戸枠３の上部に取り付けても良い。
例えば、図１８〜図２１に示すように、ブラケット７の取付部７０は、縦板７０ｂと、縦板７０ｂの長さ方向一端部の下端面に下向きに向けた取付片７０ｃを有する。縦板７０の上端面に上支持片７１が長さ方向全長に渡って設けてある。縦板７０の下端面に下支持片７２が設けてある。
取付片７０ｃは戸尻側の引戸縦枠３１の中間壁８３（ブラケット取付部８７）と室外側壁８４との間に挿入する大きさである。
取付片７０ｃは下支持片７２よりも下方に突出している。取付片７０ｃは取付穴７０ｃ−１を有している。
【００５５】
ブラケット７は上レール３５に次のように取り付ける。
ブラケット７の上支持片７１は上レール３５の上被支持片３５ｃに係止し、ブラケット７の取付部７０が上レール３５の室内側縦壁３５ｇの外側面に接し、ブラケット７の下支持片７２が上レール３５の下被支持片３５ｄに接する。
ブラケット７の取付片７０ｃが上レール３５の長さ方向中間に位置し、取付片７０ｃが上レール３５の下被支持片３５ｄよりも下方に突出する。
そして、ブラケット７の下支持片７２と上レール３５の下被支持片３５ｄをねじ７２ａで固着することで、ブラケット７を上レール３５の外側面に取り付ける（図９参照）。
【００５６】
上レール３５は次にようにして取り付ける。
ブラケット７の取付片７０ｃを、戸尻側の引戸縦枠３１の中間壁８３と室外側壁８４との間に挿入し、上レール３５の上被支持片３５ｃを引戸上枠３２の上支持片４５に係止して上レール３５の上部を支持すると同時に、上レール３５の下被支持片３５ｄを引戸上枠３２の下支持片４６に載置することで上レール３５の下部を支持して上レール３５を仮取り付けする。
【００５７】
戸尻側の引戸縦枠３１の室外側壁８４の上部寄りの孔８４ａにねじ７６を挿入し、ねじ７６をブラケット７の取付片７０ｃの取付穴７０ｃ−１から戸尻側の引戸縦枠３１の中間壁８３に形成した図示した穴を通して裏板８９に螺合してブラケット７の取付片７０ｃ、つまりブラケット７の長さ方向一端部を戸尻側の引戸縦枠３１、つまり引戸枠３の上部に取り付ける。ねじ７６を螺合した後に室外側壁８４の孔８４ａはキャップで閉塞する。
これにより、ブラケット７の長さ方向他端部は、引戸枠３よりも戸の開き位置側に延出する。
【００５８】
上レール３５の下被支持片３５ｄと引戸上枠３２の下支持片４６をねじ４９で固着することで、上レール３５の長さ方向一端部を引戸上枠３２に取り付ける。
上レール３５の長さ方向他端部は引戸枠３よりも戸の開き位置側に延出する。
【００５９】
以上の実施形態は、上レール３５の上被支持片３５ｃを引戸上枠３２の上支持片４５とブラケット７の上支持片７１に係止することで、上レール３５の上部を室内外側方向及び下方に動かないように引戸上枠３２とブラケット７で支持したが、上レール３５を引戸上枠３２とブラケット７にねじで固定するようにしても良い。
例えば、図２２〜図２５に示すように引戸上枠３２は、室外側上部に上レール支持部３２ｄを有する。
上レール支持部３２ｄは室外側に向かう上レール支持面３２ｄ−１を備えている。実施形態では引戸上枠３２の室外側縦壁４３は上支持片４５よりも上方に突出し、その上方に突出した部分の室外側面は垂直面で、突出した部分が上レール支持部３２ｄで、上レール支持面３２ｄ−１は垂直である。
ブラケット７は、取付部７０と、取付部７０の下端部に設けた下支持片７２（下支持部）を備えている。
取付部７０の室外側面は垂直面で、取付部７０の上部が上レール支持部７ｃで、その上レール支持部７ｃの上レール支持面７ｃ−１は垂直面である。
引戸上枠３２の上レール支持部３２ｄとブラケット７の上レール支持部７ｃは長さ方向に連続し、各上レール支持面３２ｄ−１，７ｃ−１は面一に連続する。
【００６０】
上レール３５は、上被支持片３５ｃ（上被支持部）と、下被支持片３５ｄ（下被支持部）と、引戸上枠３２の上レール支持部３２ｄとブラケット７の上レール支持部７ｃにねじで固定されるねじ固定部、例えばねじ固定片３５ｊを備えている。
ねじ固定片３５ｊの室内側面は、各上レール支持部３２ｄ，７ｃの上レール支持面３２ｄ−１，７ｃ−１に接する被支持面で、ねじ固定片３５ｊの被支持面を各上レール支持面３２ｄ−１，７ｃ−１に接することで、上レール３２は室内外側方向に位置決めされると共に、ガタツキなく安定して支持される。
【００６１】
そして、上レール３５の下被支持片３５ｄを引戸上枠３２の下支持片４６とブラケット７の下支持片７２に載置することで、上レール３５の下部を引戸上枠３２とブラケット７で支持し、上レール３５のねじ固定片３５ｊの被支持面である室内側面を、引戸上枠３２の上レール支持部３２ｄの上レール支持面３２ｄ−１とブラケット７の上レール支持部７ｃの上レール支持面７ｃ−１に渡って接する。
上レール３５のねじ固定片３５ｊから引戸上枠３２の上レール支持部３２ｄ、ブラケット７の上レール支持部７ｃにねじ３５ｋをそれぞれ螺合することで、上レール３５の上部と引戸上枠３２の上部、ブラケット７の上部をそれぞれねじ固定する。
【００６２】
このようにすることで、上レール３５と引戸上枠３２、上レール３５とブラケット７を強固かつ安定的に固定することが可能である。
【００６３】
図２２〜図２５に示す実施形態では、上レール３５の上壁３５ｅは室内側縦壁３５ｇよりも室内側に突出している。ねじ固定片３５ｊは、上壁３５ｅの室内側端に上向きに設けられ、ねじ固定片３５ｊは上レール３５の上面である上壁３５ｅよりも上方に突出している。これによりねじ固定片３５ｊからねじ３５ｋを引戸上枠３２の上レール支持部３２ｄ、ブラケット７の上レール支持部７ｃに螺合操作し易い。
【００６４】
上レール３５の上被支持片３５ｃは、上レール３５の上壁３５ｅにおける室内側縦壁３５ｇよりも室内側に突出した部位に下向きに設けてある。
上被支持片３５ｃは室内側縦壁３５ｇと離隔し、上被支持片３５ｃの室内側面はねじ固定片３５ｊの室内側面（被支持面）よりも室外側寄りで、ねじ固定片３５ｊの室内側面（被支持面）を各上レール支持面３２ｄ−１，７ｃ−１に接したときに、上被支持片３５ｃが取付部７０の室外側面に接しないようにしてある。
【００６５】
ねじ固定片３５ｊは、縦片３５ｊ−１と、縦片３５ｊ−１の室内側面上下寄りに室内側に向けて設けた一対の突起３５ｊ−２と、縦片３５ｊ−１の上部に室外側に向けて設けた突片３５ｊ−３を備えている。
一対の突起３５ｊ−２がねじ固定片３５ｊの室内側面（被支持面）で、この一対の突起３５ｊ−２間からねじ３５ｋを各上レール支持部３２ｄ，７ｃに螺合するようにしてある。
ねじ固定片３５ｊの突片３５ｊ−３は上カバー体９の室内側下部を支持する。
【００６６】
ブラケット７の取付部７０の上下方向の長さは、上レール３５の下被支持片３５ｄからねじ固定片３５ｊの上端までの高さよりも長い。
これにより、上レール３５の下被支持片３５ｄを引戸上枠３２の下支持片４６、ブラケット７の下支持片７２に接した状態で、ねじ固定片３５ｊの被支持面を引戸上枠３２の上レール支持面３２ｄ−１、ブラケット7の上レール支持面７ｃ−１に接することができる。
【００６７】
ブラケット７の長さ方向一端部７ａは、前述の各実施形態のいずれかによって引戸枠３の上部に取り付けることができる。
上レール３５の室内側縦壁３５ｇは一直線形状で、ブラケット７の取付部７０を引戸縦枠３１、または引戸上枠３２、引戸縦枠３１と引戸上枠３２に固定するねじ７６の頭部と干渉することがあるので、引戸上枠３２の室外側縦壁４３の下部寄りに支持片４３ａを室外側に向けて設け、この支持片４３ａと上支持片４５に上レール３５の室内側縦壁３５ｇが接するようにしてある。
これにより、ねじ７６の頭部が上レール３５の室内側縦壁３５ｇと干渉することがない。
引戸上枠３２の取付壁４４は別体で、その取付壁４４は上壁４０にねじ固定してある。
【００６８】
ブラケット７は上レール３５の内部に取り付けるようにして良い。
例えば、図２６、図２７に示すように、ブラケット７を、室内側縦片７ｄと、室内側縦片７ｄの下端に室外側に向けて設けた横片７ｅと、横片７ｅの室外側端に上向きに設けた室外側縦片７ｆとで上向きコ字状とする。
ブラケット７を上レール３５内に設け、室内側縦片７ｄを上レール３５の室内側縦壁３５ｇの内側面に接し、横片７ｅを上レール３５の下被支持片３５ｄの内側面に接することで、ブラケット７を上レール３５の長さ方向ほぼ全長に渡って設ける。
【００６９】
そして、上レール３５の下被支持片３５ｄの長さ方向一端寄りを引戸上枠３２の下支持片４６に載置し、下被支持片３５ｄと下支持片４６とブラケット７の横片７ｅをねじ４９で固着することで、上レール３５の長さ方向一端部とブラケット７の長さ方向一端部を引戸上枠３２に取り付ける。
上レール３５、ブラケット７の引戸枠３よりも延出した長さ方向他端部は、図２７に示すように、上レール３５の下被支持片３５ｄとブラケット７の横片７ｅをねじ７ｇで固着する。
【００７０】
各実施形態ではブラケット７を用いたが、ブラケット７を用いずに上レール３５を引戸枠３の上部に取り付けることもできる。
例えば、図示は省略するが、上レール３５の上被支持片３５ｃの長さ方向一端部を引戸上枠３２の上支持片４５に係止して支持し、上レール３５の下被支持片３５ｄの長さ方向一端部を引戸上枠３２の下支持片４６に載置してねじで固定することで、上レール３５の長さ方向他端部を引戸枠３よりも戸の開き位置側に延出して取り付ける。
【００７１】
なお、本明細書は、以下の引戸も開示している。
第１の引戸は、建物壁体の開口部を開閉する戸は、上レールに沿って前記開口部を越え建物壁体側の開き位置まで移動する引戸であって、
前記開口部に取り付けた引戸枠の上部に、前記上レールの長さ方向一端部を、当該上レールの長さ方向他端部が前記引戸枠よりも戸の開き位置側に延出して取り付けられ、
前記上レールの前記引戸枠よりも延出した長さ方向他端部と前記建物壁体との間に隙間を有し、
前記戸は、前記上レールに沿って前記開き位置と、開口部を閉鎖する閉じ位置とに渡って移動することを特徴とする引戸である。
【００７２】
第２の引戸は、建物壁体の開口部を開閉する戸は、上レールに沿って前記開口部を越え建物壁体側の開き位置まで移動する引戸であって、
前記上レールにブラケットを取り付け、
前記開口部に取り付けた引戸枠の上部に、前記上レールと前記ブラケットの長さ方向一端部を、当該上レールとブラケットの長さ方向他端部が前記引戸枠よりも戸の開き位置側に延出して取り付けられ、
前記戸は、前記上レールに沿って前記開き位置と、開口部を閉鎖する閉じ位置とに渡って移動することを特徴とする引戸である。
【００７３】
第３の引戸は、建物壁体の開口部を開閉する戸は、上レールに沿って前記開口部を越え建物壁体側の開き位置まで移動する引戸であって、
前記開口部に取り付けた引戸枠の上部に、ブラケットの長さ方向一端部を、当該ブラケットの長さ方向他端部が前記引戸枠よりも戸の開き位置側に延出して取り付けられ、
前記上レールは、前記引戸枠の上部と前記ブラケットに渡って取り付けられ、
前記戸は、前記上レールに沿って前記開き位置と、開口部を閉鎖する閉じ位置とに渡って移動することを特徴とする引戸である。
【００７４】
第３の引戸では、前記引戸枠は、戸先側の引戸縦枠と戸尻側の引戸縦枠と引戸上枠を備え、
前記ブラケットの長さ方向一端部は、前記戸尻側の引戸縦枠の上部、または前記引戸上枠、または前記戸尻側の引戸縦枠の上部と前記引戸上枠に、当該ブラケットの長さ方向他端部が前記戸尻側の引戸縦枠よりも戸の開き位置側に突出して取り付けられ、
前記上レールは、前記ブラケットと前記引戸上枠とに渡って取り付けることができる。
【００７５】
第３の引戸では、前記引戸上枠と前記ブラケットは、上レールの上被支持部を支持する上支持部と、上レールの下被支持部を支持する下支持部をそれぞれ有しているものにできる。
このようにすれば、上レールの上部と下部を引戸上枠とブラケットとで支持するので、上レールの変形を抑制できる。
【００７６】
第３の引戸では、前記上レールはねじ固定部を有し、
前記引戸上枠と前記ブラケットは、前記上レールの下被支持部を支持する下支持部及び前記上レールのねじ固定部の被支持面が接する上レール支持部をそれぞれ有し、
前記上レールのねじ固定部と前記各上レール支持部はねじで固定されているものにできる。
このようにすれば、上レールと引戸上枠とブラケットを強固かつ安定的に固定することができる。
【００７７】
第３の引戸では、前記引戸上枠の下支持部と前記上レールの下被支持部及び前記ブラケットの下支持部と前記上レールの下被支持部は、それぞれねじで固定することができる。
このようにすれば、上レールの上部を引戸上枠とブラケットとで支持した状態で、上レールを引戸上枠、ブラケットにねじで固定することができるから、上レールの取り付けがやり易い。
【００７８】
第３の引戸では、前記戸尻側の引戸縦枠の上部は、前記ブラケットの長さ方向一端部を取り付けるブラケット取付部と、前記上レールの下被支持部を支持する支持部を有しているものにできる。
このようにすれば、上レールの長さ方向中間部を戸尻側の引戸縦枠で支持するので、上レールを強固に取り付けできる。
【００７９】
第４の引戸は、建物壁体の開口部を開閉する戸は、上レールに沿って前記開口部を越え建物壁体側の開き位置まで移動する引戸であって、
前記引戸の引戸枠は、前記建物壁体の開口部に取り付けてある既設サッシ枠よりも室外側に突出して前記建物壁体の開口部に取り付けられ、
前記既設サッシ枠と前記引戸枠の間はシールされ、
前記引戸枠の上部に、ブラケットの長さ方向一端部を、当該ブラケットの長さ方向他端部が前記引戸枠よりも戸の開き位置側に延出して取り付けられ、
前記上レールは、前記引戸枠の上部と前記ブラケットに渡って取り付けられ、
前記戸は、前記上レールに沿って前記開き位置と、開口部を閉鎖する閉じ位置とに渡って移動し、
前記引戸枠の戸先側の引戸縦枠と前記建物壁体とに渡って戸先側カバー体が、前記既設サッシ枠の一方の既設縦枠を覆うように取り付けられ、
前記引戸枠の戸尻側の引戸縦枠と前記建物壁体とに渡って戸尻側カバー体が、前記既設サッシ枠の他方の既設縦枠を覆うように取り付けられ、
前記上レールに上カバー体が、前記既設サッシ枠の既設上枠を覆うように取り付けられていることを特徴とする引戸である。
【００８０】
第４の引戸の取付方法としては、引戸を建物壁体に取り付ける際に、既設サッシ枠と引戸枠との間をシールした後に、ブラケット、上レール、戸先側カバー体、戸尻側カバー体、上カバー体を取り付けるようにしたことを特徴とする引戸の取付方法とすることができる。
この取付方法であれば、既設サッシ枠と引戸枠との間をシールする作業がやり易く、止水性が担保できる。
【００８１】
第５の引戸は、建物壁体の開口部を開閉する戸は、上レールに沿って前記開口部を越え建物壁体側の開き位置まで移動する引戸であって、
前記引戸の引戸枠は、前記建物壁体の開口部に取り付けられ、
前記建物壁体の開口部と前記引戸枠の間は止水され、
前記引戸枠の上部に、ブラケットの長さ方向一端部を、当該ブラケットの長さ方向他端部が前記引戸枠よりも戸の開き位置側に延出して取り付けられ、
前記上レールは、前記引戸枠の上部と前記ブラケットに渡って取り付けられ、
前記戸は、前記上レールに沿って前記開き位置と、開口部を閉鎖する閉じ位置とに渡って移動することを特徴とする引戸である。
【００８２】
第５の引戸の取付方法としては、引戸を建物壁体に取り付ける際に、前記建物壁体の建物躯体に引戸枠を取り付けて止水した後に建物躯体に外壁を取り付け、その後にブラケット、上レールを取り付けるようにしたことを特徴とする引戸の取付方法とすることができる。
この取付方法であれば、建物躯体に外壁を取り付ける作業がやり易い。
【００８３】
引戸によれば、戸を、開口部を越え建物壁体側の開き位置まで上レールに沿って移動することができる。
上レールは建物壁体に固定していないので、建物壁体に穴を加工せずに上レールを開口部を越え建物壁体側に突出して短時間に取り付けできる。しかも、上レールの取り付けが建物壁体の不陸の影響を受けない。また、建物躯体の納まりや状態に左右されず上レールを取り付けることができると共に、上レールの取り付け強度も影響を受けず、引戸枠のみで上レールの取り付けを完結するため安定した上レールの取り付け強度を担保できる。
【００８４】
第２の引戸によれば、上レールの延出部が変形することをブラケットで抑制できる。
第３の引戸によれば、上レールは、引戸枠の上部とブラケットに渡って取り付けてあるので、上レールの延出部の変形をブラケットで抑制できる。
第４の引戸によれば、既設サッシ枠を引戸にリフォームできる。
既設縦枠と既設上枠が見えないから、見栄えが良い。
【符号の説明】
【００８５】
１…建物壁体、１ａ…開口部、２…既設サッシ枠、３…引戸枠、４…戸、５…戸先側カバー体、６…戸尻側カバー体、７…ブラケット、７ｃ…上レール支持部、２０…一方の既設縦枠、２１…他方の既設縦枠、２２…既設上枠、３０…戸先側の引戸縦枠、３１…戸尻側の引戸縦枠、３２…引戸上枠、３２ｄ…上レール支持部、３５…上レール、３５ｄ…上被支持片（上被支持部）、３５ｄ…下被支持片（下被支持部）、３５ｊ…ねじ固定片（ねじ固定部）、４５…上支持片（上支持部）、４６…下支持片（下支持部）、７０…取付部、７１…上支持片（上支持部）、７２…下支持片（下支持部）、８６…切断端面（支持部）、８７…ブラケット取付面。
【図１】
2018159269.tif 000003
【図２】
2018159269.tif 000004
【図３】
2018159269.tif 000005
【図４】
2018159269.tif 000006
【図５】
2018159269.tif 000007
【図６】
2018159269.tif 000008
【図７】
2018159269.tif 000009
【図８】
2018159269.tif 000010
【図９】
2018159269.tif 000011
【図１０】
2018159269.tif 000012
【図１１】
2018159269.tif 000013
【図１２】
2018159269.tif 000014
【図１３】
2018159269.tif 000015
【図１４】
2018159269.tif 000016
【図１５】
2018159269.tif 000017
【図１６】
2018159269.tif 000018
【図１７】
2018159269.tif 000019
【図１８】
2018159269.tif 000020
【図１９】
2018159269.tif 000021
【図２０】
2018159269.tif 000022
【図２１】
2018159269.tif 000023
【図２２】
2018159269.tif 000024
【図２３】
2018159269.tif 000025
【図２４】
2018159269.tif 000026
【図２５】
2018159269.tif 000027
【図２６】
2018159269.tif 000028
【図２７】
2018159269.tif 000029